(57)【要約】【課題】ヒータのオンオフ切替えに際して、各ヒータに対応したローラの温度が下限温度を下回ることを防止し、かつ、ローラの温度が目標温度に達するまでの時間を短縮し得る定着装置を提供する。【解決手段】加圧ローラ及び加熱ローラをそれぞれ加熱する第１及び第２の熱源部材と、各熱源部材に通電する通電手段と、各ローラの温度を検出する温度検出手段と、各熱源部材への通電をオフする第１モード，各熱源部材への通電をオンする第２モード，各熱源部材への通電をデューティ制御する第３モードのいずれか１つのモードで、通電手段を制御する制御手段と、を設ける。制御手段は、温度検出手段により検出される加圧ローラ及び加熱ローラの温度が所定範囲内に収まるように第１〜３モードを切り替えつつ、一方の熱源部材に対して第１モードを第３モードに切り替える場合には、同時に、他方の熱源部材に対して第３モードを適用するように、通電手段を制御する。【選択図】図２
2008051868.tif 000002
【特許請求の範囲】
【請求項１】
トナー像が転写された用紙を加圧ローラにより加圧するとともに、加熱ローラにより加熱することでトナー像を用紙に定着させる定着装置において、
上記加圧ローラ及び加熱ローラをそれぞれ加熱する第１及び第２の熱源部材と、
上記各熱源部材に通電する通電手段と、
上記加圧ローラ及び加熱ローラの温度を検出する温度検出手段と、
上記各熱源部材への通電をオフする第１モード，各熱源部材への通電をオンする第２モード，各熱源部材への通電をデューティ制御する第３モードのいずれか１つのモードで、上記通電手段を制御する制御手段と、を有しており、
上記制御手段は、上記温度検出手段により検出される加圧ローラ及び加熱ローラの温度が所定の範囲内に収まるように上記第１，第２及び第３モードを切り替えつつ、一方の熱源部材に対して上記第１モードを第３モードに切り替える場合には、同時に、他方の熱源部材に対して上記第３モードを適用するように、上記通電手段を制御する、ことを特徴とする定着装置。
【請求項２】
更に、上記制御手段は、一方の熱源部材に対して、上記第１モードを第３モードに切り替える場合に、他方の熱源部材が第１モードに設定されていれば、該他方の熱源部材に対して、上記第３モードを所定時間だけ適用した後、上記第１モードを設定するように、上記通電手段を制御する、ことを特徴とする請求項１記載の定着装置。
【請求項３】
更に、上記制御手段は、上記温度検出手段により検出された上記加圧ローラ及び加熱ローラの温度に基づき、上記第３モードの適用時に設定されるデューティ制御時間を決定する、ことを特徴とする請求項１又は２に記載の定着装置。
【請求項４】
更に、上記制御手段は、上記温度検出手段により検出された上記加圧ローラ及び加熱ローラの温度に基づき、上記第３モードの適用時に設定されるデューティ比を決定する、ことを特徴とする請求項１〜３のいずれか一に記載の定着装置。
【発明の詳細な説明】
【技術分野】
【０００１】
この発明は、画像形成装置に搭載され、トナー像が転写された用紙を加圧ローラにより加圧するとともに、加熱ローラにより加熱することでトナー像を用紙に定着させる定着装置に関する。
【背景技術】
【０００２】
従来、プリンタや多機能複合機等の画像形成装置に搭載される定着装置においては、加熱ローラや加圧ローラを加熱する熱源部材としてのヒータが複数存在する場合に、ヒータへの通電を制御すべく、ヒータに流れる突入電流に伴う一時的な電源電圧の降下を抑制するために、ヒータのオンに際しては、オン状態にある他のヒータをオフさせるなど、ヒータのオンオフ制御を行っていた。
【０００３】
これに関連して、例えば下記特許文献１では、通電開始時に、供給電圧波形の半波区間を含む起動制御区間を設け、起動制御区間のうちの所定の半波区間は、ゼロクロス制御により通電を行う通電区間とし、残りの半波区間は、通電を行わない休止区間とする間欠制御を行う熱定着装置に採用された電力制御装置が開示されている。この装置では、定着の起動制御区間において、ゼロクロス制御により半波単位で通電，非通電が切り替えられ、複数のヒータ間で起動制御区間が重ならないようになっている。
【０００４】
また、図６には、従来の定着装置における加熱ヒータ及び加圧ヒータに対する通電のオンオフ制御、及び、加熱ローラ及び加圧ローラの温度変化の一例をあらわすタイミングチャートを示す。ここでは、加熱及び加圧ヒータが、それぞれオンされる場合に、突入電流に伴う電圧変動を抑制するために、オンしてから駆動制御区間ｔ１だけデューティ制御（ゼロクロス制御）される。そして、図中の四角数字１で示されるように、優先的にオンさせる加熱ヒータがオンされる場合には、加圧ヒータが期間ｔ２だけ強制的にオフされる。このように、複数のヒータ間で起動制御区間が重ならないように通電制御が行われる。
【０００５】
【特許文献１】特開２００２−８４７３６号公報
【発明の開示】
【発明が解決しようとする課題】
【０００６】
しかしながら、かかる加熱ヒータ及び加圧ヒータに対する通電制御方法では、加圧ヒータのオン状態から加熱ヒータがオンされるに伴い、加圧ローラの温度が所定の目標温度に達していない場合にも、加圧ヒータがオフされるため、加圧ローラの温度がその下限温度を下回るおそれがある。かかる場合、定着部で用紙のカールが発生し、これにより、排出紙の整合性が悪化したりジャムが発生したりするおそれがある。
【０００７】
また、一方のヒータがオフされた状態、つまりそのヒータに対応したローラの温度が低下した状態から他方のヒータがオンされた場合には、オンされたヒータによりもたらされた熱が、本来加熱されるべきローラのみならず、温度が低下したローラ側にも移動することとなる。かかる場合、加熱されるべきローラの昇温には時間がかかってしまい、定着不良が発生するおそれがある。
【０００８】
この発明は、上記技術的課題に鑑みてなされたもので、定着不良の発生を回避するために、ヒータのオンオフ切替えに際して、各ヒータに対応したローラの温度が下限温度を下回ることを防止することができ、また、ローラの温度が目標温度に達するまでの時間を短縮することができる定着装置を提供することを目的とする。
【課題を解決するための手段】
【０００９】
そこで、本願の請求項１に係る発明は、トナー像が転写された用紙を加圧ローラにより加圧するとともに、加熱ローラにより加熱することでトナー像を用紙に定着させる定着装置において、該加圧ローラ及び加熱ローラをそれぞれ加熱する第１及び第２の熱源部材と、該各熱源部材に通電する通電手段と、該加圧ローラ及び加熱ローラの温度を検出する温度検出手段と、該各熱源部材への通電をオフする第１モード，各熱源部材への通電をオンする第２モード，各熱源部材への通電をデューティ制御する第３モードのいずれか１つのモードで、上記通電手段を制御する制御手段と、を有しており、該制御手段は、上記温度検出手段により検出される加圧ローラ及び加熱ローラの温度が所定の範囲内に収まるように上記第１，第２及び第３モードを切り替えつつ、一方の熱源部材に対して上記第１モードを第３モードに切り替える場合には、同時に、他方の熱源部材に対して上記第３モードを適用するように、上記通電手段を制御する、ことを特徴としたものである。
【００１０】
また、本願の請求項２に係る発明は、請求項１に係る発明において、上記制御手段は、一方の熱源部材に対して、上記第１モードを第３モードに切り替える場合に、他方の熱源部材が第１モードに設定されていれば、該他方の熱源部材に対して、上記第３モードを所定時間だけ適用した後、上記第１モードを設定するように、上記通電手段を制御する、ことを特徴としたものである。
【００１１】
更に、本願の請求項３に係る発明は、請求項１又は２に係る発明において、上記制御手段は、上記温度検出手段により検出された上記加圧ローラ及び加熱ローラの温度に基づき、上記第３モードの適用時に設定されるデューティ制御継続期間を決定する、ことを特徴としたものである。
【００１２】
また、更に、本願の請求項４に係る発明は、請求項１〜３に係る発明のいずれかにおいて、上記制御手段は、上記温度検出手段により検出された上記加圧ローラ及び加熱ローラの温度に基づき、上記第３モードの適用時に設定されるデューティ比を決定する、ことを特徴としたものである。
【発明の効果】
【００１３】
本願の請求項１に係る発明によれば、定着装置において、各熱源部材のオンオフ切替えに際し、各熱源部材に対応したローラの温度が下限温度を下回ることを防止することができ、また、加熱ローラ及び加圧ローラの温度が目標温度に達するまでの時間を短縮することができる。その結果、定着不良の発生を回避することができる。
【００１４】
また、本願の請求項２に係る発明によれば、特に加熱ローラ及び加圧ローラの温度が目標温度に達するまでの時間を短縮することができ、その結果、定着不良の発生を回避することができる。
【００１５】
更に、本願の請求項３に係る発明によれば、加圧ローラ及び加熱ローラの温度に基づき、デューティ制御モードの適用時に設定されるデューティ制御時間が決定されるため、各熱源部材のオンオフ切替えに際して、各熱源部材に対応したローラの温度が下限温度を下回ることを確実に防止することができる。
【００１６】
また、更に、本願の請求項４に係る発明によれば、加圧ローラ及び加熱ローラの温度に基づき、デューティ制御モードの適用時に設定されるデューティ比が決定されるため、各熱源部材のオンオフ切替えに際して、各熱源部材に対応したローラの温度が下限温度を下回ることを確実に防止することができる。
【発明を実施するための最良の形態】
【００１７】
以下、本発明の実施形態について、添付図面を参照しながら説明する。
図１は、プリンタに搭載された定着装置の基本構成を示す図である。この定着装置１は、定着ローラ（加熱ローラ及び加圧ローラ）の熱源部材としてそれぞれハロゲンヒータ１１，１２を備えた定着ヒータ部１０と、定着ヒータ部１０への供給電圧を制御する電源部２０と、定着ヒータ部１０及び電源部２０の動作を一括して制御する制御部３０と、を有している。定着ヒータ部１０は、加熱ローラ（不図示）を加熱するハロゲンヒータ（以下、加熱ヒータという）１１と、加熱ローラの温度（以下、加熱ローラ温度という）を検出するサーミスタ１３と、加熱ローラ温度が異常上昇した場合に、加熱ヒータ１１への電力を切断するためのサーモスタット１５と、加圧ローラ（不図示）を加熱するハロゲンヒータ（以下、加圧ヒータという）１２と、加圧ローラの温度（以下、加圧ローラ温度という）を検出するサーミスタ１４と、加圧ローラ温度が異常上昇した場合に、加圧ヒータ１２への電力を切断するためのサーモスタット１６と、から構成されている。
【００１８】
なお、本実施形態では、加熱ヒータ１１及び加圧ヒータ１２として、消費電力がそれぞれ７００Ｗ及び３００Ｗであるヒータが採用され、基本的には、加熱ヒータ１１が加圧ヒータ１２に対して優先的にオンされるように通電制御が行われる。
【００１９】
また、電源部２０は、加熱ヒータ１１及び加圧ヒータ１２への通電をオンオフするためのリレー２１と、加熱ローラの温度を調整するための加熱ヒータオンオフ回路部２２と、加圧ローラの温度を調整するための加圧ヒータオンオフ回路部２３と、から構成されている。
【００２０】
更に、制御部３０は、定着ヒータ部１０及び電源部２０を含むプリンタ内の構成を所定のプログラムに従い制御するＣＰＵ３１を備えている。ＣＰＵ３１は、定着装置１が正常状態にある場合に、ヒータリレーリモート信号（図中の「ヒータリレーＲｅｍ」）を出力し、電源部２０側のリレー２１をオンすることで、定着ヒータ部１０における加熱ヒータ１１及び加圧ヒータ１２の制御が可能である状態を設定する。また、ＣＰＵ３１は、定着ヒータ部１０における各サーミスタ１３，１４からの加熱ヒータ温度及び加圧ヒータ温度に対応した電圧信号がアナログ入力ポートに入力されるに伴い、その電圧信号の大きさから判定される加熱ヒータ温度及び加圧ヒータ温度がそれぞれ所定温度よりも低いと判断される場合には、加熱ヒータリモート信号（図中の「加熱ヒータＲｅｍ」）及び加圧ヒータリモート信号（図中の「加圧ヒータＲｅｍ」）を出力し、他方、加熱ヒータ温度及び加圧ヒータ温度がそれぞれ所定温度よりも高いと判断される場合には、加熱ヒータリモート信号及び加圧ヒータリモート信号を出力停止する。
【００２１】
電源部２０のヒータオンオフ回路部２２及び２３は、ＣＰＵ３１からの加熱ヒータリモート信号及び加圧ヒータリモート信号を検知すると、ＡＣ電圧に同期させたゼロクロス制御を行い、加熱ヒータ１１及び加圧ヒータ１２のデューティ制御を実行する。なお、デューティ制御が所定期間にわたり実行された後、加熱ヒータ１１及び加圧ヒータ１２は、状況に応じて、オフされる若しくはオン（全点灯）される。
【００２２】
かかる定着装置１においては、基本的に、定着ヒータ部１０のサーミスタ１３，１４によりそれぞれ検出される加熱ヒータ温度及び加圧ヒータ温度が所定の範囲内に収まるように、加熱ヒータ１１及び加圧ヒータ１２への通電が制御される。加熱ヒータ１１及び加圧ヒータ１２に対する通電制御モードとしては、加熱ヒータ１１及び加圧ヒータ１２への通電をオフするオフモード，加熱ヒータ１１及び加圧ヒータ１２への通電をオンするオンモード，加熱ヒータ１１及び加圧ヒータ１２への通電をデューティ制御するデューティ制御モードが設定されており、加圧ローラ温度及び加熱ローラ温度が所定の範囲内に収まるように、これらモードが切り替えられて、加熱ヒータ１１及び加圧ヒータ１２への通電が制御される。
【００２３】
図２は、定着装置１における加熱ヒータ１１及び加圧ヒータ１２に対する通電のオンオフ制御、及び、加熱ローラ及び加圧ローラの温度変化をあらわすタイミングチャートである。加熱ヒータ１１及び加圧ヒータ１２は、それぞれオンされる場合に、突入電流に伴う電圧変動を抑制すべく、オンされてから駆動制御区間ｔ１だけデューティ制御される。駆動制御区間ｔ１の時間及びその区間で設定されるデューティ比は、サーミスタ１３，１４により検出される加熱ローラ温度及び加圧ローラ温度に基づき、制御部３０により設定される。
【００２４】
そして、本実施形態では、図２中の四角数字１で示されるように、加圧ヒータ１２がオンされた状態から、優先的にオンされる加熱ヒータ１１がオンされる場合に、加熱ヒータ１１は駆動制御区間ｔ１だけデューティ制御される一方、加圧ヒータ１２は、駆動制御区間ｔ３だけデューティ制御された後、オフされる。なお、この駆動制御区間ｔ３の時間及びデューティ比は、サーミスタ１４により検出された加圧ローラ温度に基づき、加圧ローラ温度Ｔｐが所定範囲（Ｔｄ≦Ｔｐ≦Ｔｃ）内に収まり、かつ、デューティ比が比較的低くなるように、制御部３０により設定される。また、図２中のｔ２は、加圧ヒータ１２が、デューティ制御された後にオフされ、強制的に全点灯でオンされない状態に保たれる区間をあらわしている。
【００２５】
このように、加圧ヒータ１２がオンされた状態から加熱ヒータ１１がオンされるに際し、加圧ローラ温度が低いと判断された場合に、加圧ヒータ１２がデューティ制御されることで、加圧ローラ温度を低下させることなく、加熱ヒータ１１のオン時における突入電流による電圧変動を抑制することができる。
【００２６】
また、本実施形態では、図２中の四角数字２で示されるように、加熱ヒータ１１がオフされている状態から、加圧ヒータ１２がオンされるべく、駆動制御区間ｔ１だけデューティ制御される場合に、加熱ヒータ１１が駆動制御区間ｔ３だけデューティ制御される。なお、この駆動制御区間ｔ３の時間及びデューティ比は、サーミスタ１３により検出された加熱ローラ温度に基づき、加熱ローラ温度Ｔｈが所定範囲（Ｔｂ≦Ｔｈ≦Ｔａ）内に収まり、かつ、デューティ比が比較的低くなるように、制御部３０により設定される。
【００２７】
このように、加圧ヒータ１２がオンされたときに、加熱ヒータ１１がオフ状態にあり、加熱ローラの温度が下がっている場合にも、加圧ヒータ１２がオンされるべくデューティ制御されるに伴い、加熱ヒータが駆動制御区間ｔ３だけデューティ制御されることで、加熱ローラ側に熱が奪われることなく、加圧ローラ温度の迅速な上昇を実現することができる。
【００２８】
なお、本実施形態では、図２中の四角数字３で示されるように、加圧ヒータ１２がオフされている状態から、加熱ヒータ１１がオンされるべく、駆動制御区間ｔ１だけデューティ制御される場合も同様に、加圧ヒータ１２が駆動制御区間ｔ３だけデューティ制御される。
【００２９】
図３は、プリント指示に応じて実行される定着装置１の制御処理についてのフローチャートである。この処理では、まず、プリント指示を受けたか否かが判断され（＃１１）、その結果、まだ受けていないと判断された場合には、再度ステップ＃１１が繰り返され、他方、プリント指示を受けたと判断された場合には、加熱ヒータ１１及び加圧ヒータ１２への通電が制御されて、加熱ローラ温度の調整制御（＃１２）及び加圧ローラ温度の調整制御（＃１３）が順に実行される。なお、ステップ＃１２及び＃１３の詳細については、図４及び５を参照しながら後述する。
【００３０】
ステップ＃１３の後、定着ウォームアップが終了したか否か、すなわち、加熱ローラ及び加圧ローラが所定の温度になったか否かが判断され（＃１４）、その結果、まだ所定の温度になっていないと判断された場合には、ステップ＃１２へ戻り、それ以降のステップが繰り返され、他方、所定の温度になったと判断された場合には、続いて、プリン度動作が開始される（＃１５）。
【００３１】
ステップ＃１５の後、プリント動作が終了したか否かが判断され（＃１６）、その結果、プリント動作が終了していないと判断された場合には、ステップ＃１２へ戻り、それ以降のステップが繰り返され、他方、プリント動作が終了したと判断された場合には、処理が終了される。
【００３２】
図４は、加熱ローラ温度調整制御ステップ（図３中のステップ＃１２）についてのサブフローチャートである。この処理では、まず、サーミスタ１３により加熱ローラ温度が検出され（＃２１）、次に、検出された加熱ローラ温度が上限値Ｔａ以上であるか否かが判断される（＃２２）。その結果、加熱ローラ温度が上限値Ｔａに達していると判断された場合には、加熱ヒータ１１がオフされる（＃２３）。他方、加熱ローラ温度が上限値Ｔａに達していないと判断された場合には、続いて、加熱ローラ温度が下限値Ｔｂ以下であるか否かが判断される（＃２４）。
【００３３】
ステップ＃２４の結果、加熱ローラ温度が下限値Ｔｂ以下であると判断された場合には、ステップ＃２５へ進み、他方、下限値Ｔｂを超えると判断された場合には、ステップ＃２９へ進む。ステップ＃２５では、加熱ヒータ１１が駆動制御区間中であるか否かが判断され、その結果、駆動制御区間中であると判断された場合には、駆動制御区間の時間及びデューティ比が決定された上で（＃２６）、ステップ＃２６で決定された時間及びデューティ比に基づき、加熱ヒータ１１がオンされる、すなわち、デューティ制御される（＃２７）。他方、駆動制御区間中でないと判断された場合には、点灯区間（通常のオン区間）として、加熱ローラ温度がＴａに達するまで、加熱ヒータ１１がオンされる（＃２８）。ステップ＃２７又は＃２８の後には、図３に示すメインフローにリターンされる。
【００３４】
ステップ＃２９では、加圧ヒータ１２のオンが開始されたか否かが判断され、その結果、開始されていないと判断された場合には、図３に示すメインフローに即時にリターンされる。他方、加圧ヒータ１２のオンが開始されたと判断された場合には、続いて、駆動制御区間の時間及びデューティ比が決定された上で（＃３０）、ステップ＃３０で決定された時間及びデューティ比に基づき、加熱ヒータ１１がオンされる、すなわち、デューティ制御される（＃３１）。更に、その後、加熱ヒータ１１が駆動制御区間中であるか否かが判断され（＃３２）、その結果、駆動制御区間中であると判断された場合には、図３に示すメインフローに即時にリターンされ、他方、駆動制御区間中でない（つまり、駆動制御区間の終了）と判断された場合には、駆動制御が終了され、駆動制御開始前の状態に戻された上で（＃３３）、図３に示すメインフローにリターンされる。
【００３５】
続いて、図５は、加圧ローラ温度調整制御ステップ（図３中のステップ＃１３）についてのサブフローチャートである。この処理では、まず、サーミスタ１４により加圧ローラ温度が検出され（＃４１）、次に、検出された加圧ローラ温度が上限値Ｔｃ以上であるか否かが判断される（＃４２）。その結果、加圧ローラ温度が上限値Ｔｃに達していると判断された場合には、加圧ヒータ１２がオフされる（＃４３）。他方、加圧ローラ温度が上限値Ｔｃに達していないと判断された場合には、続いて、加圧ローラ温度がその下限値Ｔｄ以下であるか否かが判断される（＃４４）。
【００３６】
ステップ＃４４の結果、加圧ローラ温度が下限値Ｔｄ以下であると判断された場合には、ステップ＃４５へ進み、他方、その下限値Ｔｄを超えると判断された場合には、ステップ＃５１へ進む。ステップ＃４５では、加熱ヒータ１１がオン状態にあるか否かが判断され、その結果、オン状態にないと判断された場合には、ステップ＃４７へ直接に進み、他方、オン状態にあると判断された場合には、続いて、加熱ヒータ１１がオンされている時間が計測され、加熱ヒータ１１のオン時間が、加圧ヒータ１２が強制的に全点灯でオンされない状態に保たれる区間ｔ２（図２参照）未満であるか否か判断される（＃４６）。
ステップ＃４６の結果、オン時間がｔ２未満であると判断された場合には、図３に示すメインフローにリターンされる。他方、加熱ヒータ１１のオン時間がｔ２以上であると判断された場合には、ステップ＃４７へ進む。
【００３７】
ステップ＃４７では、加圧ヒータ１２が駆動制御区間中であるか否かが判断され、その結果、駆動制御区間中であると判断された場合には、駆動制御区間の時間及びデューティ比が決定された上で（＃４８）、ステップ＃４８で決定された時間及びデューティ比に基づき、加圧ヒータ１２がオンされる（＃４９）。他方、駆動制御区間中でないと判断された場合には、点灯区間として、加圧ローラ温度がＴｃに達するまで、加圧ヒータ１２が点灯させられる（＃５０）。ステップ＃４９又は＃５０の後には、図３に示すメインフローにリターンされる。
【００３８】
また、ステップ＃５１では、加熱ヒータ１１のオンが開始されたか否かが判断され、その結果、開始されていないと判断された場合には、図３に示すメインフローに即時にリターンされる。他方、加熱ヒータ１１のオンが開始されたと判断された場合には、続いて、駆動制御区間の時間及びデューティ比が決定された上で（＃５２）、ステップ＃５２で決定された時間及びデューティ比に基づき、加圧ヒータ１２がオンされる（＃５３）。更に、その後、加圧ヒータが駆動制御区間中であるか否かが判断され（＃５４）、その結果、駆動制御区間中であると判断された場合には、図３に示すメインフローに即時にリターンされ、他方、駆動制御区間中でない（駆動制御区間の終了）と判断された場合には、駆動制御が終了され、駆動制御開始前の状態に戻された上で（＃５５）、図３に示すメインフローにリターンされる。
【００３９】
以上の説明から明らかなように、本実施形態に係る定着装置１によれば、加熱ヒータ１１及び加圧ヒータ１２のオンオフ切替えに際して、加熱ローラ温度及び加圧ローラ温度が各下限温度を下回ることを防止することができ、また、加熱ローラ温度及び加圧ローラ温度が目標温度に達するまでの時間を短縮することができ、その結果、定着不良の発生を回避することができる。
【００４０】
なお、本発明は、例示された実施形態に限定されるものでなく、本発明の要旨を逸脱しない範囲において、種々の改良及び設計上の変更が可能であることは言うまでもない。
【図面の簡単な説明】
【００４１】
【図１】本発明の実施形態に係る定着装置の基本構成を示す図である。
【図２】上記定着装置における加熱ヒータ及び加圧ヒータに対する通電のオンオフ制御、及び、加熱ローラ及び加圧ローラの温度変化をあらわすタイミングチャートである。
【図３】プリント指示に応じて実行される上記定着装置の制御処理についてのフローチャートである。
【図４】加熱ローラ温度調整制御ステップ（図３中のステップ＃１２）についてのサブフローチャートである。
【図５】加圧ローラ温度調整制御ステップ（図３中のステップ＃１３）についてのサブフローチャートである。
【図６】従来の定着装置における加熱ヒータ及び加圧ヒータに対する通電のオンオフ制御、及び、加熱ローラ及び加圧ローラの温度変化をあらわすタイミングチャートである。
【符号の説明】
【００４２】
１…定着装置，１０…定着ヒータ部，１１…加熱ヒータ，１２…加圧ヒータ，１３…加熱ローラ用サーミスタ，１４…加圧ローラ用サーミスタ，２０…電源部，２２…加熱ヒータオンオフ回路部，２３…加圧ヒータオンオフ回路部，３０…制御部，３１…ＣＰＵ。
【図１】
2008051868.tif 000003
【図２】
2008051868.tif 000004
【図３】
2008051868.tif 000005
【図４】
2008051868.tif 000006
【図５】
2008051868.tif 000007
【図６】
2008051868.tif 000008